(57)【要約】      （修正有）【課題】撮像手段を有するカメラとプリンター装置をプリント手段とからなるプリントシステムであって、動画像のファイルを簡単な操作で内容を一枚の印画用紙に確認可能にプリントアウトすることを達成したプリントシステムを提供する。【解決手段】カメラとプリンターとからなり、動画像のファイルを指定する手段と、指定された動画像のファイルの最初と最後の駒の画像を基準に所定の１枚の印画紙にプリントアウト可能な枚数に応じてＮ等分割した分割駒の画像を抽出して所定の画像処理を加えた後、印画紙にプリントする制御手段を有する。【選択図】  図７
2006074454.tif 000002
【特許請求の範囲】
【請求項１】
撮影される被写界の光学像を電子像信号に変換する撮像手段を有するカメラと、該カメラによって撮像された電子像信号を記録用紙に視認可能にプリント出力するプリンター装置とからなるプリンターシステムにおいて、
動画像のファイルを指定するプリント指示手段と、指定された動画像のファイルの最初と最後の駒の画像を基準に所定の１枚の印画用紙にプリントアウト可能な枚数に応じてＮ等分割した分割駒の画像を抽出して所定の画像処理を加えた後、該印画用紙にプリントするように制御するプリント制御手段とを有することを特徴とするプリントシステム。
【請求項２】
前記プリントシステムの印画制御手段は、動画像のファイルの撮影時間に関する情報と、印画用紙のサイズ情報と、該印画用紙のサイズに応じて予め決められた分割数情報とを取得する情報取得手段と、該分割数情報と撮影時間情報に応じて所定の分割数に動画像ファイルの中の画像情報を静止画像情報として切りだす画像情報取得手段と、切り出された画像情報を該分割数情報に応じて画像を所定の大きさにリサイズするリサイズ手段と、該リサイズ手段によってリサイズされた画像を撮影の時間順に配列させる配列手段と、該配列された画像群を該印画用紙一枚に出力するための印画用画像処理を行う画像処理手段、とを有することを特徴とする請求項１に記載のプリントシステム。
【請求項３】
前記プリントシステムは、撮影される被写界の光学像を電子像信号に変換する撮像手段と、前記撮像手段によって撮像された電子像信号を記録用紙に視認可能にプリント出力するプリンター装置とを一体的に有するプリンター付撮影装置であることを特徴とする請求項１に記載のプリントシステム。
【請求項４】
前記プリントシステムは、
複数の加熱素子がライン状に並んだ加熱手段と、加熱することにより記録紙に転写されるインクを塗布した色インク層と加熱することにより記録紙に印画する熱転写式プリンターをプリント手段にもつことを特徴とする請求項１に記載のプリントシステム。
【請求項５】
前記プリントシステムは、
被記録部材上に記録液体のドットにより文字または画像を記録するために記録液体を吐出する記録手段を有したインクジェット式プリンターをプリント手段にもつことを特徴とする請求項１に記載のプリントシステム。
【請求項６】
撮影される被写界の光学像を電子像信号に変換する撮像手段を有するカメラと、該カメラによって撮像された電子像信号を記録用紙に視認可能にプリント出力するプリンター装置とからなるプリンターシステムにおいて、
動画像のファイルを指定するプリント指示手段と、指定された動画像のファイルの最初と最後の駒の画像を基準に所定の１枚の印画用紙にプリントアウト可能な枚数に応じて分割する際、動画像ファイルの撮影時の画質によって所定の１枚の印画用紙に出力すべき駒数を変更して分割する分割手段と、分割駒の画像を抽出して所定の画像処理を加えた後、該印画用紙にプリントするように制御するプリント制御手段とを
有することを特徴とするプリントシステム。
【発明の詳細な説明】
【技術分野】
【０００１】
本発明は熱転写式プリンターやインクジェット式プリンターをプリント手段にもつプリントシステムに関し、より具体的には静止画を記録するスチルカメラやビデオカメラなどによって撮像された電子情報を、コンピューターもしくは、記録媒体を介して該装置によってプリント出力するのに好適なプリントシステムに関するものである。
【背景技術】
【０００２】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンターがある。
【０００３】
近年、入力側としてのデジタルカメラやデジタルビデオカメラ、またはスキャナなどの画像を扱う入力機器の進歩に伴い、プリント手段として、熱転写方式のプリンター装置も注目されている。
【０００４】
それはインクジェットプリンターが、液滴を飛ばすか飛ばさないか、という２値の選択しかないために、小さな液滴を用紙へ着弾させて、誤差拡散等の手法でみかけの解像度と階調性を得ようとするのに対して、熱転写方式のプリンターの場合には、一つの画素において、制御可能な熱の値を容易に変更できるため、一つの画素に対する階調性が多く取る事が可能になるので、インクジェットプリンターに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンターとして注目されている。
【０００５】
また一方インクジェット式プリンターも液滴の小ドット化などの技術が進み、より高画質なものも登場している。
【０００６】
そこでこうしたプリンター装置とデジタルカメラやデジタルビデオカメラなどの撮影機器を直接的に接続したり、または一体的に構成して、撮影された画像情報をコンピューターなどの画像情報を処理する機器を介すことなくプリントするシステムも登場している。
【０００７】
こうしたシステムによれば、デジタルカメラやデジタルビデオからの画像情報を簡単に写真的なプリントアウトを行うことが可能になり、大変便利である。
【０００８】
これらの一例として、たとえば、特許文献１では画像入力装置と画像出力装置の接続にについて述べられている。
【０００９】
これによれば、画像出力装置と画像入力装置とを接続してなる画像入出力システムであって、前記画像出力装置は、前記画像入力装置からの画像信号を受信して出力すると共に、前記画像入力装置に電力を供給する電源部を有し、前記画像出力装置は、前記画像出力装置に画像データを送信し、かつ前記画像出力装置から電源電力の供給を受けるための接続ケーブルにより前記画像出力装置と接続され、前記画像出力装置から電力供給を受けることの可否を判定する判定手段と、電源部とを有し、前記判定手段により、前記画像出力装置から電力供給を受けられると判定された場合は、前記画像出力装置からの電力を用い、電力供給を受けられないと判定された場合は、前記電源部からの電力を用いるというものである。これによれば画像出力装置から電力の供給が受けられるのでデジタルカメラなどの画像入力装置の電源の残量を気にすることなくプリント出力できるもので非常に効果的である。
【００１０】
また特開平９−６５１８２号公報の複合カメラでは、プリント時の電力省電について述べている。これによれば電子ビューファインダを有し且つ映像情報を記録媒体へ記録する撮影手段と、映像情報を記録紙へプリント出力するプリンタ手段とを一体化した複合カメラであって、上記プリンタ手段が記録紙へ映像情報をプリント出力している間は、上記電子ビューファインダへ電力を供給するのを停止するよう制御する制御手段を設けたものである。これによればプリント中は電子ビューファインダーへの電力供給をしないので節電に役立つというものであり非常に効果的である。
【特許文献１】特開平１０−２４３３２７号公報
【発明の開示】
【発明が解決しようとする課題】
【００１１】
しかしながら、上記従来例ではプリンター装置や、デジタルカメラなどの画像入力機器とのシステムを構成したときに十分な小型化や、低コスト、高速化等に十分な解決方法を与えるものではなかった。
【００１２】
今デジタルカメラやデジタルビデオカメラなどの電子撮像装置を用いて撮影された動画像のファイルについて、この内容を確認してプリントアウトする方法について考える。
【００１３】
使用者は動画像をファイルとして記録媒体に保存してある状態で、その内容を簡単にプリントアウトできると非常に便利であり、こうした機能が求められている。
【００１４】
特開平１０−２７１４２６映像記録再生装置によると、連続的に撮影された一連の静止画像データを記憶すると共に、前記静止画像データを連続的に再生することにより少なくとも２つ以上の動画像からなる動画像群を同一画面上に同時に表示する映像記録再生装置において、前記一連の静止画像データの撮影時間に関連する情報に基づいて、前記動画像群中の各動画像間に任意の時間差が生じるように動画像再生を制御する再生制御手段を具備するものである。
【００１５】
これによればＣＰＵ部は、再生動作に移行すると、メインメモリ部に記憶するデジタル映像データを画像データ処理部にＤＭＡ転送し画像伸張して、バッファーメモリ部に記憶する。画像データ処理部は、最古のデジタル映像データを最も左上の位置に展開し、撮影時間が古い順に従って、１６枚の静止画像データからなる１画面分のデジタル映像データを貯える。ＮＴＳＣのインターレース方式の場合には、６０分の１秒毎に静止画像を再生することにより、６０分の１秒の時間差を持たせた１６画面の動画像が表示部７に分割表示されるというものであり、所定時間ごとの画像を得られることが出来て便利であるが、時間が長い動画像になった場合はこれらをプリントアウトしようとすると一枚には収まりきれず、予期しない枚数をプリントアウトする必要が生じてしまう可能性があった。
【００１６】
特開平１０−２７７１９３映像記録再生装置によれば、連続的に撮影された一連の静止画像データを記憶すると共に、前記静止画像データに基づく少なくとも２つ以上の静止画像を表示する映像記録再生装置において、前記一連の静止画像データから少なくとも２つ以上であって且つ任意の範囲の静止画像を選択する画像選択手段と、前記画像選択手段が選択した静止画像を表示する選択画像表示手段とを具備するものである。
【００１７】
これによれば操作者が、静止画表示モードの状態で、操作部に含まれる操作キーを操作して、所望の静止画像を選択すると共に、所望の表示枚数を入力すると、ＣＰＵ部は、選択された静止画像を中心として分割された静止画像を表示部に表示する。更にこの状態で、操作者が操作部に含まれる操作キーを操作して静止画印刷モードにすると、ＣＰＵ部は印刷コマンドをビデオプリンタに送出し、ビデオプリンタは表示中の静止画像を印刷するもので任意の動画像中の絵を選択してプリントできて便利であるが、画像を一旦すべてチェックしないとプリントを所望すべき画像の有無がわからず操作に時間もかかりわずらわしい。
【００１８】
特開平１０−２７７１９４映像記録再生装置によれば、連続的に撮影された一連の静止画像データを記憶すると共に、前記静止画像データに基づく静止画像を表示する映像記録再生装置において、前記一連の静止画像データから第１の静止画像データを選択する第１画像選択手段と、前記一連の静止画像データから前記第１の静止画像データ以外の第２の静止画像データを選択する第２画像選択手段と、表示すべき静止画像の数に関連する情報を指定する数情報指定手段と、前記第１画像選択手段が選択した第１の静止画像データから前記第２画像選択手段が選択した第２の静止画像データまでの一連の静止画像データの数及び前記数情報指定手段が指定した表示すべき静止画像の数に関連する情報に基づいて、表示する静止画像データを選択する第３画像選択手段とを具備することを特徴とする映像記録再生装置が述べられている。
【００１９】
これによれば操作者が、静止画表示モードの状態で、操作部に含まれる操作キーを操作して、所望の静止画像を２枚選択すると共に、表示枚数を入力すると、ＣＰＵ部は、指定範囲の静止画の内、中央部が密で両端部が疎になるように自動的に静止画を表示部に表示する。更にこの状態で、操作者が操作部に含まれる操作キーを操作して静止画印刷モードにすると、ＣＰＵ部は印刷コマンドをビデオプリンタに送出し、ビデオプリンタは表示中の静止画像を印刷するもので、編集を前提に操作する場合は便利であるが、画像を一旦すべてチェックしないとプリントを所望すべき画像の有無がわからず操作に時間もかかりわずらわしい。またこのような表示形態をすべてのユーザーが望んでいるとは限らず、おせっかいな配置になる場合もあり好ましく無い。
【００２０】
特開２０００−３３３１２３プリント指定方法及び装置によれば、画像データを含むファイルが記録されている記録媒体に対して、該記録媒体に記録されている画像をプリントするためのプリント指定情報を与え、該プリント指定情報に基づいて指定に係る画像のプリントを実行させるプリント指定方法において、該方法は、前記プリント指定情報として、プリント対象となる画像が含まれるファイルを特定するためのファイル特定情報と、前記プリント対象となる画像が含まれるファイルが動画ファイルであるか静止画ファイルであるかを識別するためのファイル種識別情報と、前記プリント対象となる画像が含まれるファイルが動画ファイルである場合には、該動画ファイル内のプリント対象シーンを特定するためのシーン特定情報と、を前記記録媒体のプリント指定ファイルに記録するようにした。
【００２１】
これによればプリント指定を行うデジタルカメラにおいて、画像データを記録したメモリカード内に、プリント用ジョブを記載するプリント指定ファイルを作成し、このプリント指定ファイルに、プリント対象となるファイルを特定するための情報（ＦＩＬＥ＿ＩＤ）、プリント対象ファイルが動画ファイルであるか静止画ファイルであるかの識別情報（ＦＩＬＥ＿ＴＹＰＥ）、及びプリント対象ファイルが動画ファイルの場合には、動画中のプリント対象シーンを特定するための情報（ＦＬＡＭＥ＿ＮＵＭ）を記録する。プリント装置は、前記メモリカードから前記プリント指定ファイルを読み込み、その情報に基づいて前記メモリカードからプリント対象の画像データを取り出してプリントを実行するものであり、特定の画像をプリントする場合には便利であるが、動画のプリント対象にすべき内容がわからない場合、ファイルの内容をすべて確認しないとならないのでわずらわしい。
【００２２】
特開２００１−１０３４２０画像印刷装置において、画像印刷装置は、記録媒体に記録された少なくとも１つの静止画像を選択する画像選択手段と、前記画像選択手段で選択された静止画像を印刷する印刷手段と、前記選択手段で選択された静止画像の中に、相互に関連を有する静止画像の集合である組画像が含まれている時は、選択された当該組画像中の特定の画像を印刷するように前記印刷手段を制御する制御手段とを備えた。組画像を含む画像のプリント指示時には、指示された組画像の全ての画像ではなく特定の画像だけをプリントするので、プリントの節約になる。従って、無駄プリントも防止できる。ここにおいて、前記組画像は、連続撮影された一連の複数の静止画像及び動画撮影された複数の静止画像のいずれかであることを特徴とする。すなわち、組画像は、連写時に生成された組画像であっても良いし、動画像として撮影された静止画像の組画像（例えば、モーションＪＰＥＧによる組画像）であっても良い。
【００２３】
記録媒体に記録された少なくとも１つの静止画像を選択する画像選択手段と、前記画像選択手段で選択された静止画像を印刷する印刷手段と、前記選択手段で選択された静止画像の中に、相互に関連を有する静止画像の集合である組画像が含まれている時は、選択された当該組画像中の特定の画像を印刷するように前記印刷手段を制御する制御手段とを備えたものであり、特定の画像の指定がなされている場合は便利だが、動画などの画像の指定を見て行う必要がありわずらわしい。
【００２４】
この様に従来の装置では特に動画像のファイルをプリントアウトしようとした場合には、そのファイルの内容を全部確認してプリントアウトすべき画像を指定する動作の後にプリントする必要があったり、動画像を連続した静止画像として扱って何枚プリントアウトされるかわからないがともかくプリントアウトされてしまう、と言ったプリントしかできず、動画像のファイルを簡単に一枚のプリントで内容がすべて把握できて、整理や確認に便利な使用者にとって使い勝手の良いプリントシステムが提供できていないという問題点があった。
【００２５】
本発明は以上の様な問題点を考慮してなされたものであり、撮像手段を有するカメラとプリンター装置をプリント手段とからなるプリントシステムであって、動画像のファイルを簡単な操作で内容を一枚の印画用紙に確認可能にプリントアウトすることを達成したプリントシステムを提供することを目的とするものである。
【課題を解決するための手段】
【００２６】
上記の目的を達成する為に本発明によれば、請求項１について、撮影される被写界の光学像を電子像信号に変換する撮像手段を有するカメラと、該カメラによって撮像された電子像信号を記録用紙に視認可能にプリント出力するプリンター装置とからなるプリンターシステムにおいて、動画像のファイルを指定するプリント指示手段と、指定された動画像のファイルの最初と最後の駒の画像を基準に所定の１枚の印画用紙にプリントアウト可能な枚数に応じてＮ等分割した分割駒の画像を抽出して所定の画像処理を加えた後、該印画用紙にプリントするように制御するプリント制御手段とを有するものである。
【００２７】
これによれば、動画像ファイルをプリントすると、動画像ファイルの記録時間に応じてＮ分割された静止画像を得られるように動作する。
【００２８】
請求項２について、前記プリントシステムの印画制御手段は、動画像のファイルの撮影時間に関する情報と、印画用紙のサイズ情報と、該印画用紙のサイズに応じて予め決められた分割数情報とを取得する情報取得手段と、該分割数情報と撮影時間情報に応じて所定の分割数に動画像ファイルの中の画像情報を静止画像情報として切りだす画像情報取得手段と、切り出された画像情報を該分割数情報に応じて画像を所定の大きさにリサイズするリサイズ手段と、該リサイズ手段によってリサイズされた画像を撮影の時間順に配列させる配列手段と、該配列された画像群を該印画用紙一枚に出力するための印画用画像処理を行う画像処理手段、とを有するものである。
【００２９】
これによれば、動画像ファイルの記録時間情報と印画用紙のサイズの情報と、これらによって定められた分割数からせ意思画像情報を切り出して、各々の画像を用紙サイズに適合した大きさにリサイズして配置し、一枚の印画用紙からプリント出力する様に動作する。
【００３０】
請求項３について、前記プリントシステムは、撮影される被写界の光学像を電子像信号に変換する撮像手段と、前記撮像手段によって撮像された電子像信号を記録用紙に視認可能にプリント出力するプリンター装置とを一体的に有するプリンター付撮影装置であることを特徴とするものである。これによれば、プリントシステムはプリンターを一体的に構成した撮影装置で動作する。
【００３１】
請求項４について、前記プリントシステムは複数の加熱素子がライン状に並んだ加熱手段と、加熱することにより記録紙に転写されるインクを塗布した色インク層と加熱することにより記録紙に印画する熱転写式プリンターをプリント手段にもつものである。
【００３２】
これによれば、プリントシステムのプリンター部は熱転写式プリンターをプリント手段に持つように動作する。
【００３３】
請求項５について、前記プリントシステムは被記録部材上に記録液体のドットにより文字または画像を記録するために記録液体を吐出する記録手段を有したインクジェット式プリンターをプリント手段にもつものである。これによれば、プリントシステムのプリンター部はインクジェット式プリンターをプリント手段に持つように動作する。
【００３４】
請求項６について、撮影される被写界の光学像を電子像信号に変換する撮像手段を有するカメラと、該カメラによって撮像された電子像信号を記録用紙に視認可能にプリント出力するプリンター装置とからなるプリンターシステムにおいて、動画像のファイルを指定するプリント指示手段と、指定された動画像のファイルの最初と最後の駒の画像を基準に所定の１枚の印画用紙にプリントアウト可能な枚数に応じて分割する際、動画像ファイルの撮影時の画質によって所定の１枚の印画用紙に出力すべき駒数を変更して分割する分割手段と、分割駒の画像を抽出して所定の画像処理を加えた後、該印画用紙にプリントするように制御するプリント制御手段とを有するものである。これによれば、動画像ファイルの画質の状態に応じて一枚に印画する駒数を変更するように動作する。
【発明の効果】
【００３５】
以上説明した様に、本発明によれば、請求項１について、請求項１について、撮影される被写界の光学像を電子像信号に変換する撮像手段を有するカメラと、該カメラによって撮像された電子像信号を記録用紙に視認可能にプリント出力するプリンター装置とからなるプリンターシステムにおいて、動画像のファイルを指定するプリント指示手段と、指定された動画像のファイルの最初と最後の駒の画像を基準に所定の１枚の印画用紙にプリントアウト可能な枚数に応じてＮ等分割した分割駒の画像を抽出して所定の画像処理を加えた後、該印画用紙にプリントするように制御するプリント制御手段とを有するようにしたことで、簡単に一枚のプリントから動画像ファイルに記録された画像情報の内容を把握できるという効果がある。
【００３６】
請求項２について、前記プリントシステムの印画制御手段は、動画像のファイルの撮影時間に関する情報と、印画用紙のサイズ情報と、該印画用紙のサイズに応じて予め決められた分割数情報とを取得する情報取得手段と、該分割数情報と撮影時間情報に応じて所定の分割数に動画像ファイルの中の画像情報を静止画像情報として切りだす画像情報取得手段と、切り出された画像情報を該分割数情報に応じて画像を所定の大きさにリサイズするリサイズ手段と、該リサイズ手段によってリサイズされた画像を撮影の時間順に配列させる配列手段と、該配列された画像群を該印画用紙一枚に出力するための印画用画像処理を行う画像処理手段、とを有するようにしたことで、動画像ファイルの記録時間の長さや出力したい印画用紙のサイズなどに一切とらわれないで、誰でも簡単に動画像ファイルに記録された画像情報を得ることができるという効果がある。
【００３７】
請求項３について、前記プリントシステムは、撮影される被写界の光学像を電子像信号に変換する撮像手段と、前記撮像手段によって撮像された電子像信号を記録用紙に視認可能にプリント出力するプリンター装置とを一体的に有するプリンター付撮影装置したことで、撮影後に装置だけで、すぐに動画像ファイルの内容をプリント印画物として得ることができるという効果がある。
【００３８】
請求項６について、撮影される被写界の光学像を電子像信号に変換する撮像手段を有するカメラと、該カメラによって撮像された電子像信号を記録用紙に視認可能にプリント出力するプリンター装置とからなるプリンターシステムにおいて、動画像のファイルを指定するプリント指示手段と、指定された動画像のファイルの最初と最後の駒の画像を基準に所定の１枚の印画用紙にプリントアウト可能な枚数に応じて分割する際、動画像ファイルの撮影時の画質によって所定の１枚の印画用紙に出力すべき駒数を変更して分割する分割手段と、分割駒の画像を抽出して所定の画像処理を加えた後、該印画用紙にプリントするように制御するプリント制御手段とをしたことで、記録された動画像の画質状態から簡単に最適な画質のプリントを得ることができるという効果がある。
【発明を実施するための最良の形態】
【００３９】
図１から図７に示す図を用いて本発明の実施例について説明する。本プリントシステムは、プリンター部に昇華型の熱転写記録方式を採用し、電子的な画像の情報を任意なプリント枚数分プリントアウトすることが出来るものである。このプリントシステムについて手順に従って説明する。
【００４０】
本発明に係わる通常の熱転写記録装置の一実施形態について、以下、図面を参照して具体的に説明する。
【００４１】
図１は実施形態に係わる記録装置の側面の構成模式図である。まず、記録装置の全体構成について説明すると、装置本体１に記録紙Ｐを積載した用紙カセット２から給紙ローラ３で一枚ずつ分離給送する。この際記録紙Ｐはバネ２０によって付勢された押上げ板２１によって給紙ローラ３に当接している。そして、給紙ローラ３によって搬送された記録紙Ｐは搬送ローラ対４で挟持搬送されて記録部を往復可能にしている。搬送ローラ対４はピンチローラ４２とグリップローラ４１で構成されている。
【００４２】
記録部においては記録紙搬送経路を挟んでプラテンローラ５と記録情報に応じて発熱するサーマルヘッド６が対向しており、インクカセット７に収納される、熱溶融性または熱昇華性インクを塗布したインク層と印画面を保護するために印画面上にオーバーコートされるオーバーコート層をもつインクシート８をサーマルヘッド６によって記録紙Ｐに押圧するとともに、選択的に加熱することにより、該記録紙Ｐに所定画像を転写記録し、保護層をオーバーコートする。
【００４３】
上記インクシートは、記録紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて設けられたものであり、各層ずつ熱転写しては、記録紙Ｐを記録開始位置Ｐ１に戻し、記録紙上に、順次重ねて転写される。
【００４４】
このように、記録紙Ｐは搬送ローラ対４により、各色インク及びオーバーコート層の数だけ往復される。
【００４５】
この際、各インク層の印画後の記録紙Ｐは装置本体１前方で反転され、用紙カセット前方部及び下部のガイド部を介して装置本体１の後方へ導紙される。装置前方で反転されるために印画途中の記録紙Ｐが外部に出ることによるスペースの無駄や意図せずに触ってしまったという様なことが無く、設置場所の省スペース化などを可能にしている。
【００４６】
しかも用紙カセット２の下部を紙ガイドとして直接利用していることによって装置本体１の厚さを薄くすることが可能になっていると共に、記録紙Ｐをインクカセット７と用紙カセット２にはさまれた空間を通すことで装置本体１の全高を最小限にとどめることが可能であり小型化を可能にしている。
【００４７】
２５は用紙カセット２の用紙搬送ガイド部である。装置本体１前方から反転されてきた記録紙Ｐを装置本体後方に反転させるガイド部であり、この用紙カセット２に具備することで装置本体１全体の小型化に大きく寄与している。
【００４８】
また２６は用紙カセット２の上面は印画されて排紙された記録紙Ｐのトレイ部分を兼用しており、これも装置本体１の小型化に寄与している。
【００４９】
各インク層の印画終了後に記録紙Ｐは排紙ローラ１、９−１排出ローラ２、９−２へ案内され装置本体１後方から前方に向かって排出され記録動作が終了する。
【００５０】
排出ローラ１  ９−１は記録紙Ｐの排出動作時のみ圧接する様に構成され、印画中にはストレスがかからないように構成されている。
【００５１】
なお装置本体１には記録紙Ｐのガイド部１５が構成されていて、記録紙Ｐを導紙している。
【００５２】
１６は搬送路切り替えシートであり、記録紙Ｐが給紙された後は記録紙Ｐは排出側の経路に導紙されるようになっている。
【００５３】
また印画用のサーマルヘッド６はヘッドアーム２２に一体的に具備されており、インクカセット７を交換する場合にはインクカセット７の抜き差しに支障ない位置まで退避する。
【００５４】
この退避動作はインクカセット７の交換は用紙カセット２を引き抜くと可能になり、この際用紙カセット２の着脱動作に連動してヘッドアーム２２はカム部２２−１によって押さえられている状態から用紙カセット２のカム部２−１が退避していくことで上下する様に構成されている。
【００５５】
通常の熱転写記録装置ではＹＭＣ３色を３回面順次で記録する為、各色の記録先端を正確に合致させる制御が必要となる。このためには、図１に示す搬送ローラ対４で記録紙Ｐを離さずしっかり挟持し搬送を行う必要がある。この為、記録紙Ｐの送り方向の端部には記録不可能な余白部が必要となる。これを鑑み、最終的に、容易に、縁のない印画物を得るために、第３図に示す様に、記録紙Ｐには、記録開始時搬送ローラ対４でしっかり挟持され記録できない余白部分を後で容易に手で切取り可能な様にミシン目１２が設けられる。
【００５６】
本発明は、上記説明したミシン目をもつ記録紙Ｐと熱転写記録装置をもちいて実施され、上記の記録紙に設けられたミシン目領域にはオーバーコートするものとする。
【００５７】
また左下がり斜線で示す領域は印画の領域であり、ミシン目を含む領域を印画する様に制御される。オーバーコートは略印画される領域であり且つ印画される領域よりやや大きく印画される領域を含むように印画する様に制御される。
【００５８】
更に以下に装置に関わる詳しい説明をする。
【００５９】
図１に示す、記録装置１において、搬送ローラ対４は、ピンチローラ４２とグリップローラ４１からなり、このグリップローラ４１は、図示しないステッピングモータの出力軸が減速機構を介してして直結され、このステッピングモータの回転制御により、正逆自在に駆動される。記録紙Ｐは、搬送ローラ対４によりしっかりと挟持され、往復搬送されるもであるから、記録紙Ｐもまた、ステッピングモータの回転制御により、正確に位置制御され、搬送駆動される。いま、一例としてサーマルヘッド６による１ライン分の記録ピッチを８５μｍとし、記録紙Ｐを１ライン分搬送するためのステッピングモータのステップ数を４ステップとするならば、記録紙Ｐは、ステッピングモータを４ステップで回転制御することにより、１ライン（すなわち８５μｍ）搬送することができる。図３に示した、印画範囲は、搬送方向において１４４ｍｍであるとすると、１６９４ライン印画可能であり、記録紙をこの分搬送するためには、ステッピングモータを６７７６ステップ分回転させればよい。
【００６０】
図１に示す、記録装置１において、給紙ローラ３から給紙ローラ対４を見て、給紙ローラ対４の近傍の位置に、記録紙先端検出センサー１０が置かれ、これにより記録紙の先端を検出し、検出後、搬送ローラ対４で挟持できる範囲で所定ラインを送り停止させる。この位置が前述の記録開始時の位置となる。ここからまず最初のＹイエローからサーマルヘッドを記録情報に応じて発熱駆動し、各色インクの所定画像を記録し、またはオーバーコート層を転写する。１色が終わると次にこの位置から記録紙を排紙ローラ９のある方向に戻して搬送し、再び所定のライン数を戻し送り、ＹＭＣ各色及びオーバーコート層転写を４回繰返す。
【００６１】
図１に示す記録装置１において、記録紙先端検出センサー１０と、プラテンローラ５とサーマルヘッド６により記録紙Ｐを押圧する位置の距離は、装置内部品配置を考慮し、記録紙上の距離で２０ｍｍに設定したがこれに限られるものでは無い。
【００６２】
この時、図３に示す印画物は、下記の様に各色インクを転写記録し、またオーバーコート層を転写することにより得られる。
【００６３】
図２のフローチャートにおいて色インク転写及びオーバーコートシーケンスを説明する。
【００６４】
Ｓ１：使用者は不図示のプリントボタンもしくはデジタルカメラやデジタルビデオカメラからの印画指示などによってプリント動作を指示する。
【００６５】
Ｓ２：装置本体１装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
【００６６】
Ｓ３：印画準備が出来たら制御手段１９は給紙ローラ３に連結されたモータを駆動して記録紙Ｐを給紙開始する。
【００６７】
Ｓ４：記録紙先端検出後、ステッピングモータを所定ステップ分回転させ、印画を開始する。このとき、印画開始位置は、記録紙先端を基準として、１２．４６５ｍｍとした。
【００６８】
Ｓ５：引き続き、ステッピングモータを４ステップ分回転しながら、サーマルヘッドを発熱駆動し１ライン分の印画を行う。全部で６７７６ステップ分（１６９４ライン分）回転させ、印画を終了する。この時の印画終了位置は、記録紙先端を基準として、１５６．４５５ｍｍとなる。
【００６９】
Ｓ６：ついで、停止にいたるまでの減速のため、ステッピングモータを１０ライン分（４０ステップ分）程回転させ、停止させる。
【００７０】
Ｓ７：この状態から、ステッピングモータを逆転駆動し、記録紙Ｐを印画時と逆方向に搬送し、所定のステップ数（６７７６ステップ−減速分）だけ戻して、更に減速のため、所定のライン数の１０ライン分（４０ステップ分）程回転させ、停止させる。
【００７１】
Ｓ８：上記をＹＭＣ３色分、３回程繰返し、所望の印画像を記録紙Ｐに転写記録する。
【００７２】
Ｓ９：その後、そして、更に一回印画面保護の為のオーバーコート層を転写する。
【００７３】
Ｓ１０：その後ステッピングモータを逆転駆動してそのまま排出ローラー２  ９−２へ導き、排出ローラー２  ９−２の駆動で用紙を排出して一連の動作を終了させる。
【００７４】
また、上記において、制御手段１９は記録紙Ｐの給紙時に、最初に記録紙先端検出センサ１０で検知した記録紙の先端検出信号をもとに、ステッピングモータのステップ数と記録紙Ｐの搬送時における位置関係をもとに、ステッピングモータの回転駆動のステップ数を、全印画記録時において管理することにより、記録位置管理を行うとしたが、これにかぎらす、各ＹＭＣ色及びオーバーコート層の転写記録時において、記録紙先端部に検出センサーを設けて記録紙の先端検出を行い、その信号を基準として、ステッピングモータの回転駆動のステップ数を管理することにより、記録位置管理を行う構成としても良い。
【００７５】
また、上記において、オーバーコート層の転写は、サーマルヘッドの発熱駆動のＯＮ／ＯＦＦのみで行う様に記述したが、オーバーコートの転写開始時では、徐々に発熱量を増加させ、また、オーバーコートの転写終了時には、徐々に発熱量を減少させることにより得る様な制御を加える事も可能である。
【００７６】
ここで前述のＳ２のプリント指示を実行する機器と、該プリンター装置の通信について更に詳述する。
【００７７】
一例として、今プリント指示を実行するのはデジタルカメラＤＣとして説明する。
【００７８】
図４はデジタルカメラＤＣとプリンター装置本体１を接続してある模式図である。
【００７９】
デジタルカメラＤＣは撮影後に該デジタルカメラＤＣ内部のメモリに画像情報が保持されているものとする。メモリはコンパクトフラッシュ（登録商標）カードやスマートメデイアといった着脱自由なものが便利である。
【００８０】
デジタルカメラＤＣのモードを設定して、今任意の画像を再生させるものとする。
【００８１】
画像情報の再生はデジタルカメラＤＣの具備する液晶表示装置によって随時確認できるので使用者は撮影された好きな画像情報を任意に呼び出すことが可能である。
【００８２】
ここでケーブル２７や無線手段によってプリンター装置本体１と通信可能な状態であると、所定のプリント実行ボタン（図不示）によってデジタルカメラＤＣからプリンター装置へ必要な情報が通信され、プリンター装置本体１からプリント出力が得られるというものである。
【００８３】
上記必要な情報としては、デジタルカメラＤＣとのネゴシエーションの情報や、デジタルカメラＤＣからのプリントすべき画像の情報や画像情報に記録時または記録後から付加された情報、等である。
【００８４】
さてここで本発明に関わる内容について更に詳細に述べる。
【００８５】
図５は本実施例の特徴を表すフローチャートである。動画ファイルを指定してその中に記録されている画像情報を一枚の用紙に自動的に配置してプリントすることで、使用者は簡単に動画ファイルの中身を得ることができるものである。
【００８６】
Ｓ１０１：使用者はデジタルカメラＤＣの機能を用いて動画撮影を行ったものとして、撮影後に再生モードで動画ファイルを探して表示させる。
【００８７】
この際デジタルカメラＤＣの液晶表示装置には動画ファイルの撮影時の最初の駒に相当する画像が表示されている。
【００８８】
Ｓ１０２：この状態でプリント実行ボタン（図不示）が押されると、デジタルカメラＤＣでは動画像ファイルが指定されていることを判断する。
【００８９】
静止画像が選択された場合にはプリントの指示がなされれば、通常のプリントシーケンスになる。
【００９０】
Ｓ１０３：デジタルカメラＤＣのカメラ制御手段ＤＣ１は動画像ファイルの撮影時間情報を取得する。
【００９１】
Ｓ１０４：同様にデジタルカメラＤＣのカメラ制御手段ＤＣ１はプリンター装置本体１の制御手段１９に問い合わせを行い、用紙サイズの情報を取得する。
【００９２】
これは複数の用紙サイズを印画可能なプリンターが装着されている場合、その用紙の面積に応じてプリントできる駒の数を最大限取ったほうが効率が良いためである。
【００９３】
プリンターが印画可能な用紙のサイズが一種類である場合にはプリンター装置本体１の制御手段１９からは所定の常数のデータが帰ってくるだけである。
【００９４】
Ｓ１０５：デジタルカメラＤＣのカメラ制御手段ＤＣ１は前述の２つの情報から画像情報として抽出が必要とされる駒数Ｎを算出し、撮影時間Ｔに応じてＴ／Ｎした時間ごとに存在する画像情報を静止画画像情報として抽出する。
【００９５】
この際、抽出される画像情報は正確にＴ／Ｎである必要は無く、当然割り切れない数になる場合も多いので、近似的に数字を丸めてほぼその時間近くにある画像情報を抽出する。
【００９６】
また動画像のファイルそのものは形式が多様にあるが、プリントされる一枚あたりの画像の大きさは所定のある小さいサイズになるように設定してあるので、動画像中の静止画像情報であるとはいえ、十分判別可能な程度になるように予め決めてある。
【００９７】
本実施例のデジタルカメラＤＣの動画像撮影はモーションＪｐｅｇ形式を用いているが、デジタルビデオ規格やＭｐｅｇ規格など方法は問わない。
【００９８】
Ｓ１０６：デジタルカメラＤＣは静止画画像情報として画像情報を抽出して印画紙のサイズによって予め決められた一枚あたりのサイズにリサイズする。リサイズされた静止画情報は動画像情報の撮影時間に沿って時間の早い順から整列させてＮ個を並べる。
【００９９】
本実施例では、用紙種類を３種類有し、各々図６の様に用紙サイズに応じてプリントされる枚数を設定してある。用紙の種類とプリントされる駒数は応じて適切であれば構わず限定されるものではない。
【０１００】
具体的には本実施例では用紙サイズによって一つの印画用紙の中に小さいサイズの用紙の場合は１２駒、中サイズの用紙の場合には２０駒、大きいサイズの用紙の場合には３０駒、と設定している。
【０１０１】
本実施例では、動画像ファイルの撮影時の画質によって高画質で撮影された場合には、一枚あたりの画像サイズを低画質で撮影された場合の一枚あたりの画像サイズより大きなサイズになるように分割数を調整する調整ように設定してある。
【０１０２】
これによって高画質で撮影された動画像から抜き出される静止画像情報の数は変わらないが、画像の大きさが若干変わって、より高密度に一枚一枚がわかるようにした。
【０１０３】
またサイズを変えてその各々のサイズに適合した駒数にすることも可能であり、この場合、一つの印画用紙の中に小さいサイズの用紙の場合は１０駒、中サイズの用紙の場合には１６駒、大きいサイズの用紙の場合には２４駒とした。これによってより詳細な情報を見ることが可能になっているが、駒数は使用者の変更によって任意に変更可能にすることもできるように構成することも可能である。
【０１０４】
図７はファイルから分割され抽出された静止画情報とこれを印画用紙に配置した略図である。動画像ファイルは等分割にされ印画用紙に均等に配列される。例は中サイズ用紙に２０駒を配置したものとして説明されている。
【０１０５】
Ｓ１０７：カメラメモリＤＣ２に整列され保存されたＮ個の静止画情報は一つの画像情報として扱われてプリントすべき画像処理を加えられる。
【０１０６】
具体的にはカメラ制御手段ＤＣ１は輝度色差信号であった画像情報を輝度レベルの調整を行ってからＲＢＧを介してＹＭＣ情報へ変換し、更にエッジ強調などの処理も必要に応じて行い、プリント信号へ変換している。
【０１０７】
Ｓ１０８：この後プリンター装置本体１へ画像情報をＹＭＣの順で送出し、プリント処理を行う。
【０１０８】
（第二の実施例）
図８及び図１１において本発明の第二の実施例について説明する。なお第一の実施例と同一の動作を行う個所については同一の符号をつけ、説明は省略する。
【０１０９】
本第二の実施例の装置は、デジタルカメラに一体的にプリンタ部を有していて、撮影に応じてその場ですぐにプリントを行うことが可能な装置を想定している。
【０１１０】
本装置は、プリンター部にインクジェット記録方式を採用し、電子的な撮像をメモリに蓄えるのとともに、任意のメモリに蓄えられた映像情報を任意なプリント枚数分プリントアウトすることが出来るものである。この装置について手順に従って説明する。
【０１１１】
まず基本的な撮影とプリントに関わるフローを説明する。
【０１１２】
撮影者が電源スイッチ２０００を入力すると（Ｓ１００１）、制御手段５００１は該装置が前回使用されて、電源がオフされてから３日以上（７２時間以上）経過しているか否かを判断する。（Ｓ１００２）もしも３日以上経過している場合には、制御手段５００１はプリンタ部の制御を受け持つプリンタ制御部５００５に回復ポンピングの指示を出してプリンタ部４を駆動する。（Ｓ１００３）
ここで回復ポンピングは、後述するインクジェット記録方式の装置においてより記録を有効にするものであって、用紙への記録を行う事前に記録ヘッドを吸引ポンプ等の手段によってクリーニングするものである。このクリーニングの目安として本実施例においては３日間以上の未使用期間があった場合の電源入力時にこれを行うものとした。
【０１１３】
さて撮影者が撮影を行う場合、撮影者は撮影モード設定手段５００７を用いて撮影モードの設定を行う。（Ｓ２００４）本実施例では通常の撮影モードと、ポートレートモード、動画像撮影モード等の数種類のモードを有し、撮影モード設定手段５００７は具体的にはモード切換えスイッチ２０１５にて行われこの信号が制御手段５００１に伝わる。撮影者が撮影に際してズームレバー２０１６による画角の調整後、シャッターボタン２０１２を第一ストロークまで押し込むと、ＳＷ１信号５０１０が入力する。（Ｓ２００５）制御手段５００１は撮像制御部５００３を介して撮像部５００２を駆動し、露出制御値の決定や、測距情報の決定、ストロボ発光の有無等露出動作に必要な諸条件の決定を行う。（Ｓ２００６）撮影者が実際に撮影を実行する為に更にシャッターボタン２０１２を押し込むと、制御手段５００１にはＳＷ２信号５０１１が入力する。（Ｓ２００７）
制御手段５００１は撮像制御部５００３を介して撮像部５００２を駆動して焦点合わせの為のレンズ駆動や、シャッターの速度制御、絞りの開口量制御また必要であれば、ストロボの発光等の一連の露光動作を行い（Ｓ２００８）、固体撮像素子１０４０に入力する画像情報を一時保存メモリ手段５０１３に取り込む（Ｓ２００９）。その後制御手段５００１は表示手段５００８、具体的には液晶表示板２０１４を駆動して今撮影された画像情報を表示する。（Ｓ２０１０）
撮影動作としては、以上を繰り返すことになる。
【０１１４】
さて撮影者がプリント出力を所望した場合には、プリント出力のモード設定をモード設定手段５００６によって行う。（Ｓ２０１１）
プリント出力のモードは一例としては一般的な使用者はなんら意識しないでプリントできるフルオートプリントモードや、撮影後すぐにプリントするモードや、プリントのサイズを大中小に設定できるモードや、白黒やセピアカラーでのプリントを行うモードや、インデックス画像をプリントするモードなどである。
【０１１５】
次にメモリ手段５０１３に取り込まれた画像情報を画像送りボタン１１０、画像戻りボタン１０９によって液晶表示板２０１４を見ながら検索してプリント出力したい画像情報を表示する。ここでプリントボタン２０１３を押すと、プリント信号ＰＲ５０１２が入力し、制御手段５００１はプリント動作を開始する。（Ｓ２０１２）
プリンタ制御部５００５は記録ヘッド４００のホームポジション位置でプリント動作をより有効にする為にまず予備吐出を行い、記録ヘッド４００の目詰まりを解消したり、蒸発しているノズルの回復等を行う。（Ｓ２０１３）
次にプリンタ制御部５００５はメモリ手段１３に蓄えられた映像情報をプリンタ出力用の画像処理を加えた上でプリンタエンジン部５００４から出力する。（Ｓ２０１４）
プリンタエンジン部５００４でプリントされた印画済みプリンタ用紙１０２４ａはロール状に巻かれたプリント用紙１０２４と切り離される位置まで自動的に給紙され、排出される。（Ｓ２０１５）
図１０は本発明のプリンター付きカメラが適用されるインクジェット記録装置部ＩＪＲＡの該念図である。
【０１１６】
ここでキャリッジＨＣは駆動モーター１０１３の正転逆転に連動して駆動力伝達ギア１０１１、１０１０、１００９を介して回転するリードスクリュー１００４の螺旋溝１００５に対して係合するピン（不図示）を有し、矢印ａ、ｂ方向に往復運動される。
【０１１７】
キャリッジＨＣにはインクジェットヘッドカートリッジ４００が装着される。１００３はガイド棒、１００２は紙押さえ板であり、キャリッジの移動方向にわたって紙をプラテン１０００に対して押圧する。１００７、１００８はフォトカプラーであり、キャリッジのレバー１００６のこの域での存在を確認してモーター１０１３の回転方向の切り替え等を行う為のホームポジション検知手段である。
【０１１８】
１０１６は記録ヘッドの前面をキャップするキャップ部材１０２２を支持する部材、１０１５はこのキャップ内を吸引する吸引手段であり、キャップ内開口１０２３を介して記録ヘッド４００の吸引回復を行う。
【０１１９】
１０１７はクリーニングブレード、１０１９はこのブレードを前後方向に移動可能にする部材であり、本体支持板１０１８にこれらは支持されている。ブレードはこの形態でなく周知のクリーニング方法が本例に適用できるのは言うまでもない。
【０１２０】
また１０２１は吸引回復の吸引を開始する為のレバーであり、吸引手段の面１０１４と当接する。レバー１０２１はキャリッジと係合するカム１０２０の移動に伴って移動し、駆動モーターからの駆動力がクラッチ切り替え等の公知の伝達手段で移動制御される。
【０１２１】
これらのキャッピング、クリーニング、吸引回復はキャリッジＨＣがホームポジション側領域に位置づけられた時にリードスクリュー１００５の作用によってそれらの対応位置で所望の処理が行える様に構成されているが、周知のタイミングで所望の動作を行う様にすれば、本例にはいずれにも適用できる。
【０１２２】
図１１は本発明のプリンター付きカメラの中央断面の概念図である。
【０１２３】
カメラ部は沈胴型の２段式の鏡筒１０２９、１０３０について各々撮影光学系のレンズユニット１０２８ａ及び１０２８ｂが配置されている。１０３１は撮影光束を制御すると共に、露光量の制御を兼用する絞りユニットであり、同じく鏡筒１０２９に配置されている。１０３２は鏡筒１０３０を回動させるヘリコイド部材であり、鏡筒１０３０のカム凸部１０３０ａと係合している。該ヘリコイド部材１０３２は図不示のヘリコイド駆動モーターによって駆動される。
【０１２４】
上記した撮影光学系１０２８ａ及び１０２８ｂならびにシャッターユニット１０３１を通った光束は固体撮像素子１０４０上に結像する。
【０１２５】
１０３７ａ、１０３７ｂ、１０３７ｃ、１０３８ｄ、１０３９ｅはファインダーを構成する光学系レンズである。これらのうち１０３７ｂ、１０３７ｃ、１０３８ｄは撮影光学系の画角調整（ズーム操作）に伴って移動し、撮影光学系の画角と略同じ画角を確認する事ができる。この光学式ファインダーは画像表示用の液晶表示板２０１４を用いる事で電力が消費されるのを防ぐ時等に有効である。
【０１２６】
該絞りユニット１０３１は固体撮像素子（ＣＣＤ）１０４０の露出量をフィードバック制御によって適正に保つ様に駆動される。
【０１２７】
撮像された信号は、画像処理基板０１２６で処理される。処理された信号はプリンタ制御基板１０２７へ送出されプリンター部のインクジェットヘッドカートリッジ４００の位置制御信号等の情報と合わせて印刷動作に必要な駆動モーター等へ伝達される。
【０１２８】
プリント動作はプリントボタン２０１３によって開始され、ロール状に巻かれたプリンター用紙１０２４からプラテン１０００を介してプリント用紙１０２４ａが引き出され印刷される。１０４１は外装カバーで形成された紙カッター部であり、印刷後のプリント用紙１０２４ａを切り離すのに用いられる。
【０１２９】
１０２５は電源である。
【０１３０】
さてここで本発明に関わる内容について更に詳細に述べる。
【０１３１】
さて撮影者が前述のフローチャートで動画像のプリント出力を所望した場合には、プリント出力のモード設定をモード設定手段５００６によって行う。（Ｓ２０１１）
ここでは動画プリントモードを設け、カメラ制御手段５００１は次にメモリ手段５０１３に取り込まれた画像情報を画像送りボタン１１０、画像戻りボタン１０９によって液晶表示板２０１４を見ながら検索してプリント出力したい動画像情報を表示する。
【０１３２】
ここでプリントボタン２０１３を押すと、プリント信号ＰＲ５０１２が入力し、制御手段５００１はプリント動作を開始する。（Ｓ２０１２）
ここで、制御手段５００１は動画像情報から撮影時間情報と、用紙サイズの情報を取得して動画像情報から所定の駒数の静止画像情報を切り出して、各々の画像情報をリサイズした上で配列してプリントすべき画像情報をプリント処理するのは第一の実施例と同様である。
【０１３３】
本発明は、特にインクジェット記録方式の中でもインク吐出を行わせる為に利用されるエネルギーとして熱エネルギーを発生する手段（たとえば電気熱変換体やレーザー光等）を備え、前期熱エネルギーにおよりインクの状態変化を生起させる方式の記録ヘッド、記録装置において優れた効果をもたらすものである。
【０１３４】
その代表的な構成や原理については、例えば、米国特許第４７２３１２９号明細書、同第４７４０７９６号明細書に開示されている基本的な原理を用いて行うのものが好ましい。この方式は特にオンデマンド型の場合には、液体（インク）が保持されているシートや液路に対して配置されている電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応し液体（インク）内の気泡を形成出来るので有効である。この気泡の成長、収縮により、吐出用開口を介して液体（インク）を吐出させて少なくとも一つの滴を形成する。
【０１３５】
この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書、同第４３４５２６２号明細書に記載されている様なものが適している。尚、上記熱作用面の温度上昇率に関する発明の米国特許第４３１３１２４号明細書に記載されている条件を採用すると、更に優れた記録を行うことが出来る。
【０１３６】
記録ヘッドの構成としては、上述の各明細書に開示されているような吐出口、液路、電気熱変換体の組み合わせ構成（直線状液路又は直角液流路）の他に熱作用部が屈曲する領域に配置されている構成を開示する米国特許第４５５８３３３号明細書、米国特許４４５９６００号明細書を用いた構成も本発明に含まれるものである。
【０１３７】
加えて、複数の電気熱変換体に対して、共通するスリットを電気熱変換体の吐出部とする構成を開示する特開昭５９年第１２３６７０号公報や、熱エネルギーの圧力波を吸収する開孔を吐出部に対応させる構成を開示する特開昭５９年第１３８４６１号公報に基づいた構成としても本発明は有効である。
【０１３８】
更に記録装置部が記録できる最大記録媒体の幅に対応した長さを有する降るラインタイプの記録ヘッドとしては、上述した明細書に開示されている様な複数記録ヘッドの組み合わせによってその長さを満たす構成や、一体的に形成された一個の記録ヘッドとしての構成のいずれかでもよいが、これらの構成をとることで本発明をいっそう有効に発揮することができる。
【０１３９】
加えて、装置本体に装着されることで、装置本体との電気的な接続や装置本体からのインクの供給が可能になる交換自在のチップタンクの記録ヘッド、あるいは記録ヘッド自体に一体的に設けられたカートリッジタイプの記録ヘッドを用いた場合にも本発明は有効である。又、本発明の記録装置部の構成として設けられている、記録ヘッドに対しての回復手段、予備的な補助手段等を付加することは、本発明の効果をいっそう安定できるので好ましいものである。
【０１４０】
これらを具体的に挙げれば、記録ヘッドに対しての、キャッピング手段、クリーニング手段、加圧あるいは吸引手段、電気熱変換体あるいはこれとは別の加熱素子あるいはこれらの組み合わせによる予備加熱手段、記録とは別に吐出を行う予備吐出モードを行うことも安定した記録を行う為に有効である。
【０１４１】
更に記録装置部の記録モードとしては、黒色等の主流色のみの記録だけではなく、記録ヘッドを一体的に構成するか複数個の組み合わせによってでも良いが、異なる色の複色カラー又は混色によるフルカラーの少なくとも一つを備えた装置であることが極めて有効になる。
【図面の簡単な説明】
【０１４２】
【図１】第一実施例の構成模式図。
【図２】第一実施例のフローチャート１。
【図３】第一実施例の用紙の図。
【図４】第一実施例の結線状態の図。
【図５】第一実施例のフローチャート。
【図６】第一実施例の用紙サイズと駒数の図。
【図７】第一実施例の分割と配置の図。
【図８】第二実施例のブロック図。
【図９】第二実施例のフローチャート。
【図１０】第二実施例の構成概要の図。
【図１１】第二実施例の構成の中央断面図。
【符号の説明】
【０１４３】
１  装置本体
２  用紙カセット
３  給紙ローラ
４  搬送ローラ対
５  プラテンローラ
６  サーマルヘッド
７  インクカセット
８  インクシート
９−１  排紙ローラ１
９−２  排紙ローラ２
１０  記録紙先端検出センサー
１１  ＳＷ２信号
１２  ミシン目
１３  一時保存画像メモリ手段
１４  印字情報メモリ手段
４２  ピンチローラ
４１  グリップローラ
１５  ガイド部
１６  余白部
１７  印画領域
１８  処理回路
１９  制御手段
２０  バネ
２１  押上げ板
２２  ヘッドアーム
２３  ヘッドカバーＡ
２４  ヘッドカバーＢ
２５  用紙搬送ガイド部
２６  排紙トレイ部
２７  ケーブル
ＤＣ  デジタルカメラ
ＤＣ１  カメラ制御手段
ＤＣ２  カメラメモリ
５００１  制御手段
５００２  撮像部
５００３  撮像制御部
５００４  プリンタエンジン部
５００５  プリンタ制御部
５００６  プリントモード設定手段
５００７  撮影モード設定手段
５００８  表示手段
５０１０  ＳＷ１信号
５０１１  ＳＷ２信号
５０１２  プリント信号
【図１】
2006074454.tif 000003
【図２】
2006074454.tif 000004
【図３】
2006074454.tif 000005
【図４】
2006074454.tif 000006
【図５】
2006074454.tif 000007
【図６】
2006074454.tif 000008
【図７】
2006074454.tif 000009
【図８】
2006074454.tif 000010
【図９】
2006074454.tif 000011
【図１０】
2006074454.tif 000012
【図１１】
2006074454.tif 000013